(57)【要約】【課題】ファンユニット等のメンテナンスの容易な換気装置の提供。【解決手段】  本願の中間ダクトファン２では、ファンモーター４２及びモーター駆動基板４４（モーター用基板）がファンケース４０に取り付けられてファンケースユニット１８とされており、このファンケースユニット１８が主筐体となるハウジングケース２３から着脱可能とされている。【選択図】  図１
2006084080.tif 000002
【特許請求の範囲】
【請求項１】
ファンモーター及びモーター用基板がファンケースに取り付けられてファンユニットとされており、このファンユニットが主筐体から着脱可能とされていることを特徴とする換気装置。
【請求項２】
請求項１の換気装置において、
前記ファンユニット又は前記主筐体の一方に係止部、他方に被係止部を設け、前記係止部と前記被係止部とを係合することにより仮保持を行う仮保持手段を備えたことを特徴とする換気装置。
【請求項３】
請求項１、２の何れかの換気装置において、
前記モーター用基板と前記主筐体の電源側基板とを結ぶ配線部が結束され、且つ、該配線部に、前記ファンユニットを前記主筐体に着脱するときに、前記配線部を適正な姿勢に矯正する矯正部材を設けたことを特徴とする換気装置。
【請求項４】
請求項３の換気装置において、
前記矯正部材が撓み易い樹脂部材からなることを特徴とする換気装置。
【請求項５】
請求項１乃至請求項４の何れかの換気装置を用い、外気若しくは室内の空気を給気する給気手段と、室内の空気を排気する排気手段とを備えた換気システムであって、前記換気システムは、連続的又は断続的に常時換気を行う２４時間換気運転機能を備え、該２４時間換気運転の実行状態であるときに、所定の動作状態で前記排気手段の排気風量を増大させ、該所定の動作状態の解除に伴い、前記換気手段の風量を増加時の風量よりも低下させるように制御する制御手段を備えたことを特徴とする換気システム。
【請求項６】
請求項１乃至請求項４の何れかの換気装置を用い、外気若しくは室内の空気を給気する給気手段と、室内の空気を排気する排気手段とを備えた換気システムであって、前記換気システムは、連続的又は断続的に常時換気を行う２４時間換気運転機能を備え、該２４時間換気運転の実行状態であるときに、所定の動作状態で前記排気手段の排気風量を増大させると共に、前記給気手段の給気量を増加させるように制御する制御手段を備えたことを特徴とする換気システム。
【発明の詳細な説明】
【技術分野】
【０００１】
本発明は室内の換気を行う換気装置に関し、更に詳しくは、換気の際に複数の部屋から若しくは複数の部屋に対して空気を送ることが可能な集合機能若しくは分配機能を有する換気装置及び換気システムに関する。
【背景技術】
【０００２】
従来の換気装置の中には、換気際に複数の部屋から若しくは複数の部屋に対して空気を送ることが可能な集合機能若しくは分配機能を有する集合型換気装置が知られている。この集合型換気装置は、一般に中間ダクトファンと称されるものであり、筐体の内部に給気ファン若しくは排気ファンの少なくとも何れかを内蔵し、筐体の空気を送る上流側又は下流側に第１のダクトを接続し、これらのダクトの反対側の下流側若しくは上流側に第２のダクトを接続したものである。第１のダクト若しくは第２のダクトの何れかは複数本のダクトからなるものであり、排気機能を有するものでは、複数の部屋に通じる複数の分岐側の排気ダクトが筐体の一方に接続され、筐体の他方に建物外部に通じる共通側の排気ダクトが接続されている（例えば、特許文献１参照。）。
【特許文献１】特開平１１−２８７４９３号
【発明の開示】
【発明が解決しようとする課題】
【０００３】
しかしながら、従来の中間ダクトファンのような換気装置では、中間ダクトファン自身が天井の裏に据え付けられるが、天井裏のスペースは装置本体の厚さ程度しかないのが通常である。このため、作業や点検のためのスペースが限られており、換気装置のメンテナンス作業を行う場合には、天井に設けられた点検口から点検扉を開けると共に、室内側から天井面に向かって作業しなければならず、ファンやモーター等の一つ一つの部品のメンテナンスが容易ではなかった。特に、集合住宅では、天井裏のスペースが狭い場合が多く、中間ダクトファンやその他の換気装置の場合、点検口も小さいので、ファンモーターやフィルター等の取り外し、或いは、ダクトなどの交換が非常に面倒であるという問題があった。
【０００４】
本発明は、このような問題に着目してなされたものであり、メンテナンスが容易な換気装置及び換気システムを提供することを目的とする。
【課題を解決するための手段】
【０００５】
本発明の第１の換気装置は、ファンモーター及びモーター用基板がファンケースに取り付けられてファンユニットとされており、このファンユニットが主筐体から着脱可能とされていることを特徴とする。
【０００６】
本願の請求項２の換気装置は、請求項１の換気装置において、前記ファンユニット又は前記主筐体の一方に係止部、他方に被係止部を設け、前記係止部と前記被係止部とを係合することにより仮保持を行う仮保持手段を備えたことを特徴とする。
【０００７】
本願の請求項３の換気装置は、請求項１、２の何れかの換気装置において、前記モーター用基板と前記主筐体の電源側基板とを結ぶ配線部が結束され、且つ、該配線部に、前記ファンユニットを前記主筐体に着脱するときに、前記配線部を適正な姿勢に矯正する矯正部材を設けたことを特徴とする。
【０００８】
本願の請求項４の換気装置は、請求項３の換気装置において、前記矯正部材が撓み易い樹脂部材からなることを特徴とする。
【０００９】
本願の請求項５の換気システムは、請求項１乃至請求項４の何れかの換気装置を用い、外気若しくは室内の空気を給気する給気手段と、室内の空気を排気する排気手段とを備えた換気システムであって、前記換気システムは、連続的又は断続的に常時換気を行う２４時間換気運転機能を備え、該２４時間換気運転の実行状態であるときに、所定の動作状態で前記排気手段の排気風量を増大させ、該所定の動作状態の解除に伴い、前記換気手段の風量を増加時の風量よりも低下させるように制御する制御手段を備えたことを特徴とする。
【００１０】
本願の請求項６の換気システムは、請求項１乃至請求項４の何れかの換気装置を用い、外気若しくは室内の空気を給気する給気手段と、室内の空気を排気する排気手段とを備えた換気システムであって、前記換気システムは、連続的又は断続的に常時換気を行う２４時間換気運転機能を備え、該２４時間換気運転の実行状態であるときに、所定の動作状態で前記排気手段の排気風量を増大させると共に、前記給気手段の給気量を増加させるように制御する制御手段を備えたことを特徴とする。
【発明の効果】
【００１１】
本発明の第１の換気装置によれば、換気装置のファンモーター及びモーター用基板がファンケースに取り付けられてファンユニットとされており、このファンユニットが主筐体から着脱可能とされているので、ファンやファンモーター或いは基板の交換等のファンユニットのメンテナンスが容易である。
【００１２】
本発明の第２の換気装置によれば、ファンユニットを主の筐体で仮保持させてから、取り付けることにより、作業者がファンユニットの重量を手で支えながら、主の筐体に取り付け固定する必要がなくなり、設置作業が容易に行え、作業効率が向上する。
【００１３】
本発明の第３の換気装置によれば、前記モーター用基板と前記主筐体の電源側基板とを結ぶ配線部が結束され、且つ、該配線部に、前記ファンユニットを前記主筐体に着脱するときに、前記配線部を適正な屈曲姿勢に案内する案内部材を設けたので、ファンユニットを主筐体に再装着する時に、配線部が適正な屈曲姿勢に案内され、配線部がファンユニットと主筐体の不測の部位に挟まれてしまうといったことが防止される。
【００１４】
本発明の第４の換気装置によれば、前記案内部材がプラスチック板からなるので、撓み易い方向を定め易く、コストもかからず、結露等があっても錆びる恐れがない。
【００１５】
本発明の第５の換気システムによれば、給気装置と排気装置との少なくとも何れかが２４時間換気が行われているときに、所定の動作状態で前記排気手段の排気風量を増大させ、該所定の動作状態の解除に伴い、前記換気手段の風量を増加時の風量よりも低下させるように制御するので、強制換気の必要のある場合に、自動的に風量を増大させて換気効率を高め、強制換気の必要性がなくなったときには、自動的に２４時間換気に戻るので、快適性が向上する。
【００１６】
本発明の第６の換気システムによれば、給気装置と排気装置との少なくとも何れかが２４時間換気が行われているときに、所定の動作状態で前記排気手段の排気風量を増大させると共に、前記給気手段の給気量を増加させるので、強制換気の必要のある場合に、自動的に風量を増大させて換気効率を高め、強制換気の必要性がなくなったときには、自動的に２４時間換気に戻るので、快適性が向上する。
【００１７】
所定の動作状態とは、例えば、換気装置のリモートコントローラの強制換気ボタン、又は、臭いセンサ、浴室換気装置のスイッチ、トイレ若しくは浴室の照明スイッチの何れかがＯＮになった場合であり、このような場合には換気装置の排気風量が増大し、リモートコントローラの強制換気ボタン、又は、臭いセンサ、浴室換気装置のスイッチ、トイレ若しくは浴室の照明スイッチの何れもＯＦＦに戻ったときに、通常の２４時間換気の排気風量となって、自動的に戻ることとなり、快適性が向上する。
【発明を実施するための最良の形態】
【００１８】
以下、本発明の実施の形態にかかる換気装置及び換気システムを図面を参考にして説明する。図１０は、マンション等の区分建物内の設置例を示す。
【００１９】
この換気システムは、玄関上部の給気口１から外気を給気する集合型換気装置としての給気系の中間ダクトファン２で強制的に導入した後、各部屋の給気グリル３から室内に給気する給気系５と、室内に給気された室内空気を浴室換気装置６によって吸い込んで排気口１０から屋外に排気する排気系１１を備えた換気システムである。この浴室換気装置６は、室内空気を吸い込んで排気する排気用の中間ダクトファンで構成されている。尚、排気用の中間ダクトファンは、居室を換気する換気装置でも良く、浴室換気装置に限定されるものではない。
【００２０】
給気用の中間ダクトファン２は、図９に示すように、廊下の天井１２の上に設置される。天井１２には点検開口部１３が形成されており、中間ダクトファン２はこの点検開口部１３の上に設置されている。中間ダクトファン２は建物の天井の構造壁１４に取付金具１５及び固定ボルト１６によって固定されている。点検開口部１３は化粧板１７によって開閉可能とされており、図１１、図１２に示すように、化粧板１７を開けることによって点検開口部１３からドライバー等を用いた点検作業が出来るように、点検開口部１３の形状が設定されている。点検開口部１３の大きさは、中間ダクトファン２の後述するファンケースユニット１８及びフィルター１９、２０を通過させることが出来る大きさに設定されている。この中間ダクトファン２には、図９に示すように、外気を導入するための外気導入ダクト２１、導入した外気を所定の室内に給気するための給気ダクト２２が接続されている。
【００２１】
図１はこの中間ダクトファン２の分解斜視図である。中間ダクトファン２は、主筐体となるハウジングケース２３と、前述のファンケースユニット１８と、チャンバー２４とを備えている。ハウジングケース２３には、外気導入用のダクトジョイント２５が接続される外気導入口２５Ａ（図７参照）と、給気用開口部２６と、電源取付穴２７が形成されている。ハウジングケース２３の内部には端子台２８が取り付けられ、端子台２８には風量調整用のロータリースイッチ２８Ａが設けられている。電源取付穴２７に端子台コネクタ部２９が取り付けられる。端子台コネクタ部２９には電灯線３１（図１１参照）が接続される。ハウジングケース２３には取付金具１５に固定される天吊り金具３０Ａ、３０Ｂが取り付けられている。ダクトジョイント２５を有する側壁においては天吊り金具３０Ｂが取り付けられ、この天吊り金具３０Ｂに対して天吊り金具３０Ａが取り付けられている。
【００２２】
ハウジングケース２３の内部であって、外気導入口側には、図１に示す塵埃フィルター１９とＮｏｘフィルター２０とが配設される。ハウジングケース２３の左右内壁部には塵埃フィルター１９とＮｏｘフィルター２０とを保持するフィルターガイド３２がそれぞれ取り付けられており、一対のフィルターガイド３２の２つの溝の間に塵埃フィルター１９とＮｏｘフィルター２０とが取り外し可能（交換可能）に保持されている。
【００２３】
ハウジングケース２３のダクトジョイント２５の反対側の面には、空気室となるチャンバー２４がネジ止めされる。図６にも示されるように、チャンバー２４の側壁部には建物の各部屋に外気を供給するためのダクトジョイント３３が取り付けられており、これらのダクトジョイント３３は図示しない開口部を介してチャンバー２４の内部空間と通じている。
【００２４】
図２はファンケースユニット１８の分解斜視図を示す。図２に示すように、ファンケースユニット１８は、ファンケース４０と、吸込口板４１と、ファンモーター４２と、遠心ファン４３と、モーター駆動基板４４とを備えている。図２においてファンケース４０の筒部４０Ａは渦巻き状の断面形状に形成されており、筒部４０Ａの下部は開放されている。ファンケース４０の筒部４０Ａの下端部は吸込口板４１によって閉鎖される。吸込口板４１には、図８にも示すように、ファンケース４０内部に空気を吸い込むための開口部４５が形成されている。ファンケース４０の下部に吸込口板４１を取り付けると、吸い込んだ外気の吹出口４６が形成される（図１参照）。この吹出口４６の位置及び形状は、ハウジングケース２３の給気用開口部２６の位置及び形状に対応している。
【００２５】
ファンケース４０の上部壁にはモーター取付枠部４７と、基板収納枠部４８と、プラスチック板４９の収納枠部５０が形成されている。モーター取付枠４７には、ファンモーター４２が装着され、モーター固定金具５１の四隅の孔ｈにネジを挿入し、挿入したネジをモーター取付枠４７側に形成されたネジ孔４７Ａに螺着することによって、ファンモーター４２がモーター取付枠４７に固定される。
【００２６】
ファンモーター４２はＡＣモーターであり、モーター駆動基板４４の電力供給制御により駆動される。モーター駆動基板４４からはファンモーター４２側に延びるリード線５２と、プラスチック板４９側に延びるリード線５３とが接続されている。プラスチック板４９側に延びる複数のリード線５３は、ベルト状のファスナー５３Ｆ（図１３参照）により、プラスチック板４９に結束されている。プラスチック板４９にはファスナーを通す穴４９Ａ（図２参照）が複数対開口されており、これらの通し穴４９Ａにファスナー５３Ｆを通して複数のリード線とプラスチック板４９とが一体に固定されている。プラスチック板４９は、例えばＰＥＴ等の樹脂で形成された薄い板状のものであり、ファンケース４０の上下方向に屈曲しやすく取り付けられている。プラスチック板４９が、このように略「Ｕ」字形状に屈曲されることで、リード線５３の収納位置及び収納姿勢が矯正される。
【００２７】
例えば、メンテナンスの場合には、図１２に示すように点検開口部１３から化粧板１７を外し、更に、ドレインパン５４をハウジングケース２３から取り外す。そして、ファンケース４０をハウジングケース２３から取り外すと、プラスチック板４９及びリード線５３が共に延びて、ファンケースユニット１８のメンテナンスを容易に行うことができる。メンテナンス後に、ファンケース４０をハウジングケース２３に装着するときには、図１１に示すように、リード線５３の収納姿勢が点検開口部１３から見えない場合でも、リード線５３がファンケース４０とハウジングケース２３との間の不測の位置に挟まれたまま固定されるという恐れがなくなる。
【００２８】
吸込口板４１の対称中心線の左右両側部には、図８に示すように、吸込口板４１とドレインパン５４との間に空気を吸い込むための空間を形成するためのフランジ５５が形成されている。フランジ５５には、ハウジングケース２３の縁部２３Ａに固定するためのネジ溝５５Ａ（被係止部）が形成されている。このネジ溝５５Ａはフランジ５５の長手方向に延びるように形成されており、ファンケース４０をハウジングケース２３の縁部２３Ａに取り付けるときに、縁部２３Ａに螺着したネジ２３Ｂ（係止部）の頭部をこのネジ溝５５Ａに掛止して、ファンケースユニット１８のファンケース４０を仮に支えるために利用する。このネジ２３Ｂを締め込むことにより、ファンケース４０はハウジングケース２３に取り付け固定される。このフランジ５５は、ハウジングケース２３の縁部２３Ａに当てられて、吸込口板４１とドレインパン５４との間に外気導入空間Ｓ（図１１参照）が形成される。
【００２９】
ドレインパン５４は開口部６０と開口部６０を塞ぐ蓋部５６とを有する。ドレインパン５４と蓋部５６は中央部が谷状に傾斜しており、この谷状部分５４Ａは開口部６０側が高く排水管５７側が低くなるように傾斜している。蓋部５６の両側部には開口部６０の縁に掛止される突起５６Ａ（図３参照）が形成されており、この突起５６Ａが開口部６０の内側に掛けられることによって、図５に示すように、蓋部５６の一方が掛止され、蓋部５６の他方がネジ５８によって枠部５９に固定される。
【００３０】
また、ドレインパン５４自身はハウジングケース２３の下端部の外周部に嵌め込まれて装着され、図示しないネジによりハウジングケース２３の下端部に着脱可能に取り付けられる。ドレインパン５４の排水管５７は浴室の排水口に接続される図示しない排水パイプに接続される。ドレインパン５４は、冬季などに外気を室内に給気するときに、湿度の高い空気が冷たい壁面等に接触して結露し、滴下して溜まった水分を受け、排水管５７から浴室の排水口等に排水する。
【００３１】
尚、この実施の形態では、ハウジングケース２３に複数のダクトジョイント３３を備えたチャンバー２４が装着されているが、ダクトジョイント３３が単数のチャンバー２４が取り付けられても良く、更に、チャンバー２４が取り付けられずに、ハウジングケース２３の給気用開口部２６にダクトジョイントが取り付けられていても良い。
【００３２】
このファンケースユニット１８のファンモーター４２は、モーター駆動基板４４により制御されるが、室内空気を排気する排気系１１（図１０参照）の浴室換気装置６と連動している。本換気システムは給気用の中間ダクトファン２と排気用の浴室換気装置６とを通信手段により連動するように制御している。
【００３３】
浴室換気装置６は、排気用の中間ダクトファンで構成され、排気用のダクト１１Ａと共に排気系１１を構成している。図１４はこの浴室換気装置６の構成を概略示している。矩形の箱体形状のハウジングケース６１の側面部には、ダクトジョイント６２〜６５が取り付けられている。ハウジングケース６１の側面部であってダクトジョイント６２〜６５の取り付けられる部位には、空気を通過させる開口部６２Ａ、６３Ａ、６４Ａが形成されている。ダクトジョイント６２には排気系１１のダクト１１Ａが接続されている。ダクトジョイント６３にはトイレの排気グリルに接続されるダクト６６が取り付けられ、ダクトジョイント６４には洗面所の排気グリルに接続されるダクト６７が取り付けられ、ダクトジョイント６５には浴室の排気グリルに接続されるダクト６８が取り付けられている。
【００３４】
ハウジングケース６１の内部には、図１５に示すように、ファンケースユニットが取り付けられている。ファンケースユニットは、ハウジング６９とファンケース７０と遠心ファン７１とファンモーター７２と制御回路ユニット７３とで構成される。ファンケース７０と遠心ファン７１とファンモーター７２と制御回路ユニット７３は、これらを組み込むように形成されたハウジング６９に対して固定されており、ハウジング６９は図８と吸込口板４１と同様な吸込口板７４の上に取り付けられている。
【００３５】
吸込口板７４には、ハウジングケース６１内の空気を吸い込む吸込口７５を有する。吸込口板７４の縁部には吸込口板４１のフランジ５５と同様なフランジ７６が形成され、このフランジ７６には、ハウジングケース６１の縁部に固定するための図示しないネジ溝（被係止部）が形成されている。このネジ溝は、図８のネジ溝５５Ａと同様にフランジ７６の長手方向に延びるように形成されており、ハウジング６９をハウジングケース６１に取り付けるときに、ネジ７７（係止部）の頭部をこのネジ溝に掛止して、ファンケースユニットを仮に支える。その後、ネジ７７を締め込むことにより、ファンケースユニットは、ハウジングケース６１に取り付け固定される。
【００３６】
ハウジングケース６１の内部であってファンケースユニット以外の部位は他の室内から室内空気を吸い込む吸込空間７８とされている。この吸込空間７８には、トイレや洗面所或いは浴室からの室内空気が吸い込まれ、ファンケース７０内部の遠心ファン７１により吸い込まれて排気系１１のダクト１１Ａに排気される。ハウジングケース６１の下部にはドレインパン７９が装着されている。ドレインパン７９の構成は前述のドレインパン５４と同様であるので、その説明を援用する。
【００３７】
ハウジングケース６１は浴室天井の点検口の上方に設置され、ハウジングケース６１の外側に突出する取付金具６１Ａが天井の仕切壁に固定された図示しないアンカーボルトに支持される。ハウジングケース６１のファンケースユニットは浴室天井の点検口の蓋を取り外してメンテナンスが出来るようになっている。
【００３８】
この浴室換気装置６と中間ダクトファン２との連動関係は、浴室換気装置６がＯＮすると、ファンケースユニット１８のファンモーター４２がＯＮし、浴室換気装置６がＯＦＦすると、ファンケースユニット１８のファンモーター４２がＯＦＦする。また、浴室換気装置６が２４時間換気運転されると、ファンケースユニット１８のファンモーター４２が１時間当たり建物容積の半分相当の換気量を換気するようにＯＮする。建物の換気対象エリアの容積の所定換気回数（例えば０．５回／時間）を満たすような換気量となるようにＯＮにする。
【００３９】
浴室換気装置６と中間ダクトファン２とが連動して動作いるとき、浴室換気装置６が動作して排気系１１から排気が行われる。従って、給気系５で建物外部の空気を建物内部に導入すると共に、浴室換気装置６が室内空気を吸い込んで戸外に排気する。各部屋の室内空気は各部屋の戸のアンダーカット等及び浴室のガラリを通って浴室換気装置６に吸い込まれて排気系１１から排気される。
【００４０】
なお、浴室換気装置６は大風量の強換気動作が可能とされている。浴室換気装置６の大風量の強換気は、（１）浴室換気装置６自身のリモートコントローラ（図示省略）に排気量を増大させる強換気スイッチを設けること、若しくは、（２）浴室の入り口に設けられた浴室換気スイッチにファンの回転数を増大させる強換気スイッチを設けること、或いは、（３）トイレの換気スイッチにファン回転数を増大させるか、浴室吸込口のシャッターを閉じることなどの方法によってトイレの排気量を増大させる強換気スイッチを設けること、によって行うことできる。即ち、これらの強換気スイッチを浴室換気装置６の制御装置のマイクロプロセッサに接続し、これらの強換気スイッチの何れかがＯＮになったときに、浴室換気装置６の強換気動作を行う。これによって浴室換気装置６は強換気動作を行うことができる。他方、浴室換気装置６は、これらの強換気スイッチの何れもがＯＦＦになったときに、強換気動作を停止させ、２４時間換気モードとなり、２４時間換気運転が開始される。
【００４１】
尚、排気用の浴室換気装置６が、２４時間換気時よりも大きな風量（例えば、強制換気操作時）によって動作したときに、この時の浴室換気装置６の選択ボタンのＯＮ／ＯＦＦ或いはファンモーターの回転数或いは電圧・電流等の増大・減少に基づいて、ファンモーター４２の回転数を制御することも可能である。
【００４２】
例えば、浴室換気装置６の排気用の吸込口がトイレの天井の排気口とダクトで接続され、トイレの天井等に人体検知センサ（焦電センサ）が設置されている場合、当該人体検知センサが人体を検出したときに、浴室換気装置６のファンモーターの回転数を増大させるように制御モードを設定できる。
【００４３】
このように、トイレの換気口からトイレ内の空気を大風量で吸引して建物外に排気するときに、中間ダクトファン２が外気の給気量を増大するように設定すると、給気量、排気量のバランスがとれ、室内が過度の負圧となり、戸が開かなくなったり、風切り音等が発生することがなくなる。
【００４４】
以上説明したように、この中間ダクトファン２によれば、ファンモーター４２及びモーター駆動基板４４（モーター用基板）がファンケース４０に取り付けられてファンケースユニット１８とされており、このファンケースユニット１８が主筐体となるハウジングケース２３から着脱可能とされているので、ファン４３やファンモーター４２或いは基板４４の交換等のファンケースユニット１８のメンテナンスが容易である。
【００４５】
特に、モーター用基板４４とハウジングケース２３の電源側基板である端子台２８とを結ぶリード線５３（配線部）が結束され、且つ、リード線５３に、ファンケースユニット１８をハウジングケース２３に着脱するときに、リード線５３を適正な屈曲姿勢に案内するプラスチック板４９（案内部材）を設けたので、ファンケースユニット１８をハウジングケース２３に再装着する時に、リード線５３が適正な屈曲姿勢に案内され、リード線５３がファンケースユニット１８とハウジングケース２３の不測の部位に挟まれてしまうといったことが防止される。しかも、このプラスチック板４９は、撓み易い方向を定め易く、コストもかからず、結露等があっても錆びる恐れがない。
【００４６】
また、給気装置と排気装置との少なくとも何れかにおいて、２４時間換気が行われているときに、中間ダクトファン２のリモートコントローラの強制換気ボタン、又は、浴室換気装置６のスイッチ、トイレ若しくは浴室の照明スイッチの何れかがＯＮになると、中間ダクトファン２の排気風量が増大し、リモートコントローラの強制換気ボタン、又は、浴室換気装置６のスイッチ、トイレ若しくは浴室の照明スイッチの何れもＯＦＦに戻ったときに、排気風量を元に戻すと、強制換気の必要のある場合に、自動的に風量を増大させて換気効率を高め、強制換気の必要性がなくなったときに、自動的に２４時間換気に戻るので、操作の煩わしさがなくなり、快適性が向上する。
【図面の簡単な説明】
【００４７】
【図１】本発明の実施の形態にかかる中間ダクトファンの分解斜視図。
【図２】本発明のファンケースユニットの分解斜視図。
【図３】図１の中間ダクトファンの底面図。
【図４】図３の中間ダクトファンの正面図。
【図５】図３の中間ダクトファンの背面図。
【図６】図３の中間ダクトファンの左側面図。
【図７】図３の中間ダクトファンの右側面図。
【図８】ファンケースユニットの吸込口板の平面図。
【図９】中間ダクトファンを天井の構造壁と吊り天井の間に取り付けた状態の断面図。
【図１０】マンションに設けた換気システムの一例を示す図。
【図１１】中間ダクトファンと吊り天井の通常状態時の断面図。
【図１２】化粧板を開けてファンケースを取り出すときの様子を示す断面図。
【図１３】リード線とプラスチック板とを結束した状態の平面図。
【図１４】中間ダクトファンで構成した浴室換気装置の平面図。
【図１５】図１４の浴室換気装置の断面図。
【符号の説明】
【００４８】
２  中間ダクトファン（換気装置）
５  給気系
６  浴室換気装置
１１  排気系
１３  点検開口部
１８  ファンケースユニット
２３  ハウジングケース
２４  チャンバー
２５  給気用のダクトジョイント
３３  給気用のダクトジョイント
４０  ファンケース
４１  吸込口板
４２  ファンモーター
４３  遠心ファン
４５  吸込口
４９  プラスチック板（案内部材）
５３  リード線
５４  ドレインパン
【図１】
2006084080.tif 000003
【図２】
2006084080.tif 000004
【図３】
2006084080.tif 000005
【図４】
2006084080.tif 000006
【図５】
2006084080.tif 000007
【図６】
2006084080.tif 000008
【図７】
2006084080.tif 000009
【図８】
2006084080.tif 000010
【図９】
2006084080.tif 000011
【図１０】
2006084080.tif 000012
【図１１】
2006084080.tif 000013
【図１２】
2006084080.tif 000014
【図１３】
2006084080.tif 000015
【図１４】
2006084080.tif 000016
【図１５】
2006084080.tif 000017